(57)【要約】【課題】安全に作動するスロープを備えた台秤を提供する。【解決手段】  計量機構を有する大型の平板型計量台本体と、前記計量台本体の側面に回動可能に取り付けられるスロープとを備える体重計であって、前記計量台本体と前記スロープの間にはエラストマーで構成される弾性部材が介在し、前記スロープの前記計量台本体に取付けられる側面には、前記スロープの該回動軸方向に沿った溝が形成され、前記弾性部材の前記スロープと対向する対向面には、前記前記溝に係合する凸部が形成されているよう構成した。スロープの上下方向の回動の衝撃が弾性部材により吸収され、ゆっくりと作動する。【選択図】図６
2020112359.tif 000002
【特許請求の範囲】
【請求項１】
計量機構を有する計量台本体と、前記計量台本体の側面に回動可能に取り付けられるスロープとを備える台秤であって、
前記計量台本体と前記スロープの間にはエラストマーで構成される、前記スロープの回動に伴う衝撃吸収のための弾性部材が介在する、
ことを特徴とする台秤。
【請求項２】
前記スロープの前記計量台本体に取付けられる側面には、前記スロープの該回動軸方向に沿った溝が形成され、
前記弾性部材の前記スロープと対向する対向面には、前記前記溝に係合する凸部が形成されている、
ことを特徴とする請求項１に記載の台秤。
【請求項３】
前記スロープの前記計量台本体に取付けられる側面の下端には、前記弾性部材の前記スロープとの対向面と当接する下面凸部が下方に向かって形成されている、
ことを特徴とする請求項１または請求項２に記載の台秤。
【請求項４】
前記スロープの前記計量台本体に取付けられる側面の上端には、前記計量台本体に向かって延出し、前記スロープの上面を延長して前記弾性部材の上面を覆う上面凸部部が形成されている、
ことを特徴とする請求項１〜請求項３に記載の台秤。
【請求項５】
前記弾性部材は前記計量台本体の前記側面にネジ固定され、
前記ネジは、該上面が前記弾性部材の前記スロープとの対向面から前記計量台本体側に所定量オフセットされた位置となるように配置される、
ことを特徴とする請求項１〜請求項４に記載の台秤。
【発明の詳細な説明】
【技術分野】
【０００１】
本願発明は主に車椅子体重計などのスロープを備える大型の台秤に関する。
【背景技術】
【０００２】
従来、医療用体重計などの大型の台秤は、車椅子を使用しなければならない歩行困難者でも容易に体重の測定ができるように、車椅子に乗ったまま計量台に乗り上げることができるスロープを設けている。
【０００３】
例えば特許文献１では、回動して計量台に折りたためる導入路(スロープ)が設けられており、通常状態でスロープが地面に接触しない程度にバネで上方向に付勢している。車椅子がスロープにかかるとバネが伸びてスロープが床面に接触して、車椅子は無理なく載置台に載ることができる。
【先行技術文献】
【特許文献】
【０００４】
【特許文献１】実開平２−１４０４２６号
【発明の概要】
【発明が解決しようとする課題】
【０００５】
しかし、スロープはバネにより上方向に付勢されているため、車椅子がスロープを登り載置台まで移動してスロープから離れると、伸びたバネの元に戻ろうとする力によって、スロープは上方へ向かって勢いよく跳ね上がって被計量者のいる載置台まで回動するため、安全性に問題があり、さらに上に伸びた反動により今度は再び下方へ戻って床面を強く打ちつけ、大きな音を発生してしまう問題もあった。
【０００６】
本発明はこれを鑑みてなされたものであり、その目的は、静粛性を持ち安全に動作するスロープを備えた台秤の提供である。
【課題を解決するための手段】
【０００７】
上記問題を解決するため、本発明のある態様の台秤では、計量機構を有する大型の平板型計量台本体と、前記計量台本体の側面に回動可能に取り付けられるスロープとを備える台秤であって、前記計量台本体と前記スロープの間にはエラストマーで構成される弾性部材が介在するよう構成した。エラストマーの弾性部材を介在させることで、付勢させずともスロープを持ち上げることができるため、スロープの安全性が向上し、かつ上下方向の回動の反動が和らげる緩衝材としても働くため、床の打ち付けによる騒音の発生を抑制することができる。
【０００８】
またある態様では、前記スロープの前記計量台本体に取付けられる側面には、前記スロープの該回動軸方向に沿った溝が形成され、前記弾性部材の前記スロープと対向する対向面には、前記溝に係合する凸部が形成されているよう構成した。この構成により、上下の両方の回動の衝撃が吸収され安全性が高い。
【０００９】
またある態様では、前記スロープの前記計量台本体に取付けられる側面の下端には、前記弾性部材の前記スロープとの対向面と当接する下面凸部が下方に向かって形成されているよう構成した。下方回動時のスロープと弾性部材の接触面積が増加し、回動衝撃の吸収性能が向上する。
【００１０】
またある態様では、前記スロープの前記計量台本体に取付けられる側面の上端には、前記計量台本体に向かって延出し、前記スロープの上面を延長して前記弾性部材の上面を覆う上面凸部部が形成されているよう構成した。下方回動から復帰する付勢を発生すると共に付勢の反力や衝撃を分散して受け、耐久性が向上する。
【００１１】
またある態様では、前記弾性部材は前記計量台本体の前記側面にネジ固定され、前記ネジは、該上面が前記弾性部材の前記スロープとの対向面から前記計量台本体側に所定量オフセットされた位置となるように配置されるよう構成した。弾性部材を固定するネジをこのように配置することで、スロープの過度な回動を防止し、弾性部材に過度な負荷がかかりそのクッション性が損なわれることを防止した。
【発明の効果】
【００１２】
以上の説明から明らかなように、本発明によれば、静粛性を持ち安全に動作するスロープを備えた台秤を提供できる。
【図面の簡単な説明】
【００１３】
【図１】本発明の実施形態に係る台秤である体重計であり、（A）が使用状態、（B）が収容状態を示す。
【図２】計量台（カバーは省略）の平面図である。
【図３】同計量台の斜視図である。
【図４】同計量台の正面図である、
【図５】同計量台の分解斜視図であり、弾性部材の取付状態を示す説明図である。
【図６】図５のVI-VI線に沿った断面図であり、スロープの回動および弾性部材の働きを説明する説明図である。
【図７】図５のVII-VII線に沿った断面図である。
【発明を実施するための形態】
【００１４】
以下、本発明の好適な実施形態を、図面を参照しながら説明する。実施の形態は、発明を限定するものではなく例示であって、実施の形態に記述されるすべての特徴やその組み合わせは、必ずしも発明の本質的なものであるとは限らない。
【００１５】
図１は、本発明の実施形態に係る台秤である体重計１であり、（Ａ）が使用状態、（Ｂ）が収容状態を示す。図２〜図５はそれぞれ体重計１を構成する計量台１０の平面図、斜視図、正面図、分解斜視図である。図６及び図７はそれぞれ図５のVI-VI線、VII-VII線に沿った断面図である。なお、図２〜図７では、計量台１０の構造を説明するためにカバー１１は省略している。
【００１６】
図１に示すように、体重計１は計量台１０とスタンド２を備える。スタンド２は、計量台１０を収容及び搬送が可能で、計量台１０を収容した状態においても、計量台１０を収容しない単独の状態においても、他者による支えを必要とせず、自立可能である。
【００１７】
スタンド２は、上下方向に揺動可能に支持された表示部４を備える。体重計１を使用の際、表示部４は、床面に設置された計量台１０とケーブル３で接続されて計量結果を表示する（図１（Ａ）参照）。体重計１を搬送の際は、ケーブル３が外され、計量台１０が倒立してスタンド２に納まり、表示部４が計量台１０に係合して、計量台１０を固定する（図１（Ｂ）参照）。計量台１０と表示部４とは、ケーブル３の代わりにBluetooth（登録商標）等の無線により接続されるよう構成しても良い。
【００１８】
計量台１０は、計量台本体１５、スロープ１９、載置台１６を備える。計量台本体１５は扁平直方体をなし、内部に計量機構を備える。計量機構は、例えば特開平１０−２３２１６１号などに詳しく、従来周知の構成である。載置台１６は計量台本体１５の上面を覆っており、載置台１６に載置された荷重が計測される。
【００１９】
計量台１０は車椅子体重計などの医療用の大型の薄型秤であり、車椅子に乗ったまま直接載置台１０に乗り上げたり、足を高く上げることなく直接載置台１０に載って測定できるように、対向する左右の二辺に設置状態で床面に連なる緩勾配のスロープ１９を備える。載置台１６に載った被計量者の体重を車椅子ごと計量し、車椅子の重量を差し引いて被計量者の体重を求めることができる。
【００２０】
計量台１０は前後の対向する二辺をカバー１１で覆われ、カバー１１の分だけ前後の辺が載置台１６よりも少し高くなっている。カバー１１により被計量者の進入路が案内される。カバー１１により進入路の側辺を高くすることで、被計量者が誤って進入路からはみ出して計量台１０から転倒することを防止している。
【００２１】
進入路の傾斜面であるスロープ１９の上面には、乗り上がった車椅子が滑らないように、車椅子の進行方向に直交して、多数のすべり止めの浅い溝が所定間隔に並んで形成されている。
【００２２】
スロープ１９は、計量台本体１５の側面に固定されたＬ字ブラケット１４に取付けられたヒンジ１３を介して、計量台本体１５の左右の辺と平行な軸Ａ（図３参照）を回転軸として、計量台本体１５の左右の側面に回動可能に支持される。
【００２３】
スロープ１９が取り付けられる計量台本体１５の左右の側面には、弾性部材１７が側面に沿ってネジ１８で固定されている（図５参照）。スロープ１９は、計量台本体１５の側面に弾性部材１７を挟んで取付けられ、弾性部材１７の介在によりスロープ１９の自由端は持ち上げられ、スロープ１９に荷重のかからない通常状態で、床面に接地せず僅かに床面から離間している。これは、スロープ１９が床面に接地して、載置台１６にかかる荷重が内部の計量機構だけでなく床面にもかかって分散してしまい計量誤差が生じることを防止するためである。
【００２４】
弾性部材１７は例えばシリコンゴム、ニトリルゴム、クロロプレンゴム、天然ゴム等の常温で非常に大きな弾性を有する高分子材料の樹脂材料であるエラストマーから構成される。弾性部材１７にかかる荷重は被計量者の体重のみならず車椅子の重量まで含まれることから、耐荷重性や耐久性の高い部材が好ましい。弾性部材１７によりスロープ１９の回動の衝撃が吸収され、スロープ１９はゆっくりと回動する。
【００２５】
脚９が計量台本体１５の底面の四隅にそれぞれ備えられ、スロープ１９を含む計量台１０の荷重、及び載置台１６に載置された荷重の全てを支える。計量台本体１５の内部に配置された補助部材１２により、平板状の載置台１６は支持されている。
【００２６】
弾性部材１７及びスロープ１９の構成について図６（ネジ１８が存在する位置での断面図）を用いて詳しく説明する。
【００２７】
スロープ１９はアルミニウム材等の金属材の押出し成形品であり、前後の端部に切断面を有する。即ち前後方向に長く形成され、長手方向（前後方向）に直交する縦断面形状は長手方向のどの位置においても同一となっている。
【００２８】
ネジ１８はスロープ１９と対向し、弾性部材１７を固定した状態で、その頭部上面１８ａは弾性部材１７のスロープ１９との対向面１７ｂから計量台本体１５側に所定量オフセットされた位置となる。金属製のネジ１８がスロープ１９に接触すると、金属製のネジ１８がスロープ１９のそれ以上の回動を阻止するため、頭部上面１８ａが対向面１７ｂと面一では弾性部材１７のクッション性を利用できないことから、ネジ１８は頭部上面１８ａが計量台本体１５側に入り込んだ位置となるように構成されている。スロープ１９の自由端が床面に当接した状態では下面凸部１９ａとネジ１８の頭部上面１８ａとは接触しないが、さらにスロープ１９が下方へ回動して所定角以上に下方回動すると、下面凸部１９ａがネジ１８の頭部上面１８ａに当接するようにネジ１８は位置を調整されている。ネジ１８がスロープ１９の過度な下方回動を阻止し、過度な回動により弾性部材１７に高負荷がかけられてその緩衝性が損なわれるのを防止している。
【００２９】
計量台本体１５と対向するスロープ１９の側面１９ｄの下面側には、下方に向かって伸びる下面凸部１９ａが形成されている。弾性部材１７のスロープ１９との対向面１７ｂに、下面凸部１９ａは当接する。下面凸部１９ａにより、スロープ１９は弾性部材１７との接触面積が増加し、スロープ１９の下方回転時に弾性部材１７のクッション性を効率よく利用できる。
【００３０】
スロープ１９の側面１９ｄの上面側には、側面１９ｄから計量台本体１５へ向かって延出する上面凸部１９ｃが形成され、弾性部材１７の上面１７ｃを覆っている。スロープ上方回動時に下面凸部１９ａが上面１７ｃと当接するため、上方回動時の衝撃の吸収能力が向上する。また上面凸部１９ｃによってスロープ１９の上面が計量台本体１５に向かって延長されるため、スロープ１９と計量台本体１５間にある隙間が埋められ、被計量者のスロープ１９から載置台１６への移動がスムーズとなる。
【００３１】
また側面１９ｄには、スロープ１９の回動軸に沿って溝１９ｂが形成されている。対向面１７ｂには、溝１９ｂに係合する凸部１７ａが突設されており、凸部１７ａが溝１９ｂに入り込んだ状態でスロープ１９は支持される。溝１９ｂにより、上方向と下方向の両方向におけるスロープ１９回動の衝撃を弾性部材１７で和らげることができる。
【００３２】
スロープ１９の回動と弾性部材１７の働きについて図７（ネジ１８が存在しない位置での断面図）を用いて詳しく説明する。図７では、（Ａ）が通常状態、（Ｂ）が通常状態から下方へ回動した状態、（Ｃ）が通常状態から上方へ回動した状態をそれぞれ示す。
【００３３】
図７（Ａ）に示すように、スロープ１９に荷重のかかっていない通常状態では、スロープ１９と計量台本体１５の間に介装された弾性部材１７により、スロープ１９の自由端は持ち上げられ、床面から離間している。
【００３４】
例えば車椅子に乗った被計量者が載置台１６に車椅子で乗り上げようとして、スロープ１９の自由端に車椅子の車輪がかかると、車輪はそのままスロープ１９を下方へ押し下げる。溝１９ｂの下面が凸部１７ａの下面に、下面凸部１９ａが対向面１７ｂにそれぞれ当接して、弾性部材１７がスロープ１９の下方回動の衝撃を吸収し、ゆっくりとスロープ１９が下方へ回動する。スロープ１９の自由端が床面に接地して停止し床面と連なると、車椅子は容易に載置台１６に進むことができる（図７（Ｂ）参照）。
【００３５】
車椅子が載置台１６まで移動して、スロープ１９上面にかかる荷重が除去されると、スロープ１９は、反動少なく静かに通常状態に戻る。
【００３６】
計量後に計量台１０をスタンド２に収納しようとして、計量台１０を倒立状態にするためにスロープ１９と床面との間に手を入れて持ち上げようとすると、今度はスロープ１９に対して上方向に回動させようとする力が働く。上面凸部１９ｃの下面を含めた溝１９ｂの内面が弾性部材１７の上面１７ｃや凸部１７ａの側面に当接し、弾性部材１７がスロープ１９の上方回動の衝撃を吸収してそのままスロープ１９を支持する（図７（Ｃ）参照）。計量台１０はそのままの状態で持ち上げられて倒立したままスタンド２に収められる。
【００３７】
スロープと計量台の間にバネ等を介装させてスロープを上方向へ付勢させて支持すると、スロープにかかる荷重が除去された後、バネの元に戻ろうとする力によって強く跳ね返り計量台まで回動してしまうことがあるなど安全性や騒音の問題があった。本実施形態では、弾性部材１７をスロープ１９と計量台本体１５の間に介在させてスロープ１９を支持し、弾性部材１７とスロープ１９を上記形状にして、弾性部材１７の複数面でスロープ１９を支持することで、上下方向の両方の回動の衝撃を緩衝させることができ、スロープ１９は上下どちらの方向にもゆっくり動作し安全性が高い。またスロープを付勢せずに支持するため、反動を減少させることができ、意図せぬスロープの打ち付けも抑制され静かに動作し静粛性が高い。
【００３８】
以上、本発明の好ましい実施形態や変形例について述べたが、上記の実施形態は本発明の一例であり、これらを当業者の知識に基づいて組み合わせることが可能であり、そのような形態も本発明の範囲に含まれる。
【符号の説明】
【００３９】
１  体重計
１０  計量台
１５  計量台本体
１７  弾性部材
１７ａ  凸部
１７ｂ  対向面
１７ｃ  上面
１８  ネジ
１８ａ  頭部上面
１９  スロープ
１９ａ  下面凸部
１９ｂ  溝
１９ｃ  下面凸部
１９ｄ  側面
Ａ  回転軸
【図１】
2020112359.tif 000003
【図２】
2020112359.tif 000004
【図３】
2020112359.tif 000005
【図４】
2020112359.tif 000006
【図５】
2020112359.tif 000007
【図６】
2020112359.tif 000008
【図７】
2020112359.tif 000009